(57)【要約】【課題】廃券となる券片には特定の場所に１箇所だけ孔があけられているが、その券片を目視で確認しただけでは複数ある廃券処理の内容まで区別することができず、後処理の券片整理等が大変であり、券片の廃券方法の判断間違いをする恐れがあった。【解決手段】複数の廃券レベルにそれぞれ対応させた孔２３の個数により定められた標識を券片２０に形成し、その標識により券片２０の廃券レベルを判定するようにして券片２０の廃券方法の判断間違いを防止した。【選択図】図５
2008033464.tif 000002
【特許請求の範囲】
【請求項１】
複数の廃券レベルにそれぞれ対応させた孔の個数により定められた標識を券片に形成することを特徴とする廃券処理方法。
【請求項２】
複数の廃券レベルにそれぞれ対応させた孔の位置により定められた標識を券片に形成することを特徴とする廃券処理方法。
【請求項３】
複数の廃券レベルにそれぞれ対応させた孔の個数及び位置により定められた標識を券片に形成することを特徴とする廃券処理方法。
【請求項４】
複数の廃券レベルにそれぞれ対応させた、複数の孔で形成された文字又は記号により定められた標識を券片に形成することを特徴とする廃券処理方法。
【請求項５】
複数の廃券レベルにそれぞれ対応させた、券片の中心点を対称の中心とする点対称の位置にあけた孔の個数及び又は位置により定められた標識を前記券片に形成することを特徴とする廃券処理方法。
【請求項６】
前記標識に加えて、文字、記号、線の少なくとも一種類を印字して前記券片の情報を記録することを特徴とする請求項１〜５のいずれかに記載の廃券処理方法。
【請求項７】
券情報を印刷して券片を発行する発券装置において、複数の廃券レベルにそれぞれ対応させた孔により定められた標識を前記券片に形成するように構成された廃券処理制御プログラムを格納したメモリと、前記券片に前記孔をあけるパンチ部と、前記廃券処理制御プログラムに従って前記パンチ部を制御する制御部とを備え、前記券片に前記標識を形成する廃券処理機能を有することを特徴とする発券装置。
【請求項８】
前記パンチ部に、前記券片の搬送方向に対して垂直方向に配列した複数のピンを設けたことを特徴とする請求項７記載の発券装置。
【発明の詳細な説明】
【技術分野】
【０００１】
本発明は、鉄道などの交通機関等で使用される乗車券及び定期券などの券片を発行する発券装置において、発行券片に対して、廃券レベルの標識を形成する廃券処理方法及び発券装置に関するものである。
【背景技術】
【０００２】
従来、廃券処理機機能を備えた発券装置として、廃券として回収スタッカに取り込むことを開示したものがある（特許文献１参照）。
しかし、その廃券処理の内容（廃券レベル）については何ら記載されていない。
一般に、乗車券、定期券等の券片は、表面に所定事項を印刷し、表面の磁気ストライプにその磁気情報を書き込んで発行される。
【特許文献１】特開平９−１５３１５３号公報
【０００３】
発行した券片の中に何らかの理由により無効となる場合がある。
この無効となった券片を処理する業務を廃券処理というが、
（１）発行処理中に障害が発生し、顧客に券片を渡せなくなった場合
（２）発行後に顧客要求により購入情報に変更が発生した場合
（３）有効期限を持つ券片（定期券等）を更新する場合
等があり、その際は、対象券片に対して特定の場所にパンチ穴（孔）をあけて廃券処理してから発券装置の内部に実装された回収スタッカへ収納、もしくは排出スタッカに排出していた。
【０００４】
図１２は従来の廃券処理した券片の状態を示す図である。廃券処理には上記したようにいくつかのケースがあるのに対して、廃券となる券片１０１には図１２のように特定の場所に１箇所だけ孔１０２があけられている。
【発明の開示】
【発明が解決しようとする課題】
【０００５】
しかしながら、発券装置では乗車券や定期券など取り扱う券種は複数であり、しかも廃券処理の内容が上記のように異なる場合でも、従来は券片に対して特定の１箇所に孔をあけるだけであり、また廃券処理した券片はすべて回収スタッカへ収納していた。
そのため、廃券処理後の券片の廃券方法（廃棄、保存等）が異なる場合でも、券片を目視で確認しただけでは廃券処理の内容まで区別することができず、後処理の券片整理等が大変であり、券片の廃券方法の判断間違いをする恐れがあった。
【課題を解決するための手段】
【０００６】
上記した課題を解決するため、本発明は、複数の廃券レベルにそれぞれ対応させた孔により定められた標識を券片に形成し、その標識によって券片の廃券レベルを判定するようにしたものである。
【発明の効果】
【０００７】
本発明は、複数の廃券レベルにそれぞれ対応させた孔による標識を券片に形成するので、その標識により廃券レベルを目視にて容易に確認することができ、券片の廃券方法の仕分けにおいて判断の間違いを防止することができる。
【発明を実施するための最良の形態】
【０００８】
本発明は、複数の廃券レベルにそれぞれ対応させた孔の個数により定められた標識を券片に形成し、その標識によって券片の廃券レベルを判定することにより、廃券レベルの目視による確認を容易にし、券片の廃券方法の判断間違いを防止することを実現した。
【実施例１】
【０００９】
図１は本発明が適用される発券装置の構造図である。
発券装置１は搬送路２の一端部にロール紙３とカード券ホッパ４を設け、他端部に券取出口５と券挿入口６とを有する。また、搬送路２に沿って一端部側から他端部に向かってカッター部７、第１印字部８、パンチ部９、回収スタッカ１０、第２印字部１１、磁気書込へッド１２、磁気読取へッド１３、排出スタッカ１４を設けている。なお、退避部１５は券片を一時停止させる場所である。
乗車券、定期券等を発行する場合、発券装置１は、顧客の購入情報を券片の表面に第１印字部８にて印刷し、裏面の磁気ストライプに磁気書込へッド１２にて磁気情報を書き込んで排出スタッカ１４に排出する。
【００１０】
図２は図１に示した発券装置の制御ブロック図である。
制御部１６はＣＰＵで構成され、各種の制御プログラムを格納したメモリ１７との間で情報の送受信をして、各部を制御する。
制御部１６には、図１のロール紙３を切断するカッター部７、第１印字部８、発行した券片を廃券にするために券片にパンチ孔をあけるパンチ部９、追加印字するための第２印字部１１、磁気書込へッド１２、磁気読取へッド１３、オペレータが操作する操作部１８及びロール紙駆動部１９が接続されている。
【００１１】
図３は本発明の廃券処理方法を示すフローチャートで、ここでは廃券レベルを３まで設定した場合を例にあげる。
廃券処理方法を図１〜３を参照して説明する。
廃券処理を開始する場合、まずステップＳ１においてオペレータは図２の操作部１８から必要情報を入力して廃券処理を指示し、ステップＳ２で廃棄対象の券片を図１の券挿入口６から挿入する。
ステップＳ３において券片は搬送路２を通って搬送され、磁気読取へッド１３を通過し、その際、ステップＳ４で券片の裏面の磁気ストライプから磁気情報を読み取る。
【００１２】
磁気情報を読み取り後、券片はステップＳ５で退避部１５まで搬送され、ステップＳ６で搬送を停止し、券片はそこで一時停止する。
券片の一時停止後、発券装置１は制御部１６、図示してない送受信部を経由して、ホストコンピュータへ券片から読み取った磁気情報をステップＳ７で送信する。
【００１３】
ステップＳ８において、ホストコンピュータは券片から読み取った磁気情報とオペレータによって入力された情報とから廃券処理の内容である廃券レベルを判定し、ＯＫの場合は廃券レベル１〜３のいずれかを決定し、その情報を発券装置１に通知する。
廃券レベルの情報を受け取った発券装置１は、メモリ１７に格納されている廃券処理制御プログラムに従って制御部１６は各部を制御し、一時停止していた退避部１５から指示された処理を行うべく券片の搬送を再開し、パンチ部９へ券片を搬送する。
【００１４】
パンチ部９は廃券レベル１〜３と孔により定められた標識との対応関係を含む廃券処理制御プログラムに従って制御部１６により制御され、ステップＳ９において券片は廃券レベル１〜３のいずれかに対応する孔がパンチ部９によりあけられる。
パンチ処理されて廃券レベルに対応した孔があけられた券片はステップＳ１０で廃棄券片（廃券）として回収スタッカ１０へ回収され、廃券処理は終了する。
回収された廃券は整理された後、孔による標識の目視確認により廃券レベルが判定され、廃券レベルに従った廃棄、一時保存等の廃券方法によって処理される。
なお、孔による標識の確認は目視のみならず機械等の手段によって実行しても構わない。
【００１５】
ステップＳ８において廃券レベルの判定ができない場合や必要でない場合でＮＧになったときは、ステップＳ１１で廃棄対象券片は排出スタッカ１４に搬送されて返却され、廃券処理は中止される。
【００１６】
以下に説明する実施例１〜６は、特にステップＳ８，Ｓ９に関連して複数の廃券レベルにそれぞれ対応する孔により定められた標識を券片に形成する例を示すもので、これらは廃券処理制御プログラムの設定時に予め定められる。
【００１７】
図４は実施例１におけるパンチ部の構成と券片を示す図で、券片がパンチ部を通過して孔があいた状態を示している。
券片２０は図１の搬送路２の搬送基準面２１に沿って矢印Ａの搬送方向に搬送され、パンチ部９に達すると、パンチ部９の１本のピン２２によって、廃券レベルに従い所定の数の孔２３が所定の位置にあけられ、図１の回収スタッカ１０に収納される。
その後、廃券処理された券片２０は、孔２３の数による標識が目視にて確認され、廃券レベルが判定されて整理され、所定の廃券方法が実行される。
図５は実施例１における券片の状態を示す図で、（ａ）は廃券レベル１の場合、（ｂ）は廃券レベル２の場合、（ｃ）は廃券レベル３の場合を示している。
廃券レベルの例として以下の３つをあげることができる。
廃券レベル１：発行処理中に障害が発生し、顧客に券片を渡せなくなった場合
廃券レベル２：発行後に顧客要求により購入情報に変更が発生した場合
廃券レベル３：有効期限を持つ券片（定期券等）を更新する場合
【００１８】
実施例１では、廃券レベル１の場合は１個の孔２３、廃券レベル２の場合は２個の孔２３、廃券レベル３の場合は３個の孔２３をあけるように定めている。
このように、複数の廃券レベルのそれぞれに対応させた孔２３の個数による標識を形成しているが、廃券レベルと孔２３の個数の対応の組み合わせについては、廃券処理制御プログラムの設定段階において任意に決めることができる。
【００１９】
以上のように実施例１によれば、複数の廃券レベルのそれぞれに対応させた孔の数により定められた標識を券片に形成するので、廃券レベルを目視にて容易に確認することができ、券片の廃券方法の仕分けにおいて判断の間違いを防止することができる。
また、廃券レベルの標識を孔の個数によって規定しているので、券片の表裏及び上下方向を意識することなくその目視確認をすることができる。
【実施例２】
【００２０】
図６は本発明の実施例２における券片の状態を示す図で、（ａ）は廃券レベル１の場合、（ｂ）は廃券レベル２の場合、（ｃ）は廃券レベル３の場合を示している。
実施例２は、廃券レベルを孔２３があけられる位置で示したもので、廃券レベル１では位置２４に、廃券レベル２では位置２５に、廃券レベル３では位置２６に固定している。
【００２１】
従って、例えば位置２４に孔２３があけられていれば廃券レベル１であることが目視で容易に確認することができる。
なお、廃券レベルと位置２４〜２６の対応の組み合わせについては実施例１と同様に廃券処理プログラムの設定時に任意に定めることができ、また孔２３をあけるパンチ部も実施例１と同様のものが使用される。
【００２２】
以上のように実施例２によれば、複数の廃券レベルのそれぞれに対応させた孔の位置により定められた標識を券片に形成するので、廃券レベルを目視にて容易に確認することができ、券片の廃券方法の仕分けにおいて判断の間違いを防止することができる。
また、実施例２では廃券レベルごとに予め決められた場所に孔を１箇所あけるのみであるため、孔をあける数が少ない分、廃券処理に掛かる時間を短縮することができ、パンチ部の信頼性向上、装置寿命向上といった効果も期待できる。
さらに、後処理において廃券した券片を重ねた場合、同じ廃券レベルのものであれば孔の位置が揃うので、仮に券片の束の中に異なる廃券レベルのものが紛れ込んでいてもその券片を容易に見つけることができるという利点もある。
【実施例３】
【００２３】
図７は本発明の実施例３における券片の状態を示す図で、（ａ）は廃券レベル１の場合、（ｂ）は廃券レベル２の場合、（ｃ）は廃券レベル３の場合を示している。
実施例３は実施例１と実施例２の孔のあけ方を組み合わせたもので、孔２３があけられる位置は実施例２と同様に実線又は点線で示した丸印の場所に固定され、孔２３の数は１〜３個を組み合わせて使用される。
【００２４】
図７では、廃券レベル１の場合、孔２３は左の位置に１個、廃券レベル２の場合、孔２３は左及び中央の位置に計２個、廃券レベル３の場合、孔２３は左及び右の位置に計２個、実施例１と同様のパンチ部でそれぞれあけられている。
このような孔２３の配列パターンによって、目視により券片の廃券レベルを区別することができる。
【００２５】
以上のように実施例３によれば、複数の廃券レベルのそれぞれに対応させた孔の個数及び位置に定められた標識を券片に形成するので、廃券レベルを目視にて容易に確認することができ、券片の廃券方法の仕分けにおいて判断の間違いを防止することができる。
また、孔の個数と位置を組み合わせて標識を形成するので実施例１及び実施例２に比べて廃券レベルをより多く設定することができる。
【実施例４】
【００２６】
図８は本発明の実施例４におけるパンチ部の構成と券片を示す図で、券片がパンチ部を通過して孔があいた状態を示している。
実施例１〜３においては、１本のピンを備えたパンチ部が使用されたが、実施例４では券片２０の搬送方向Ａに対して垂直方向に配列された複数のピン２２を備えたパンチ部２７が使用される。
【００２７】
券片２０が矢印Ａ方向に搬送され、パンチ部２７の所定位置に達すると、複数のピン２２のうち所定のピン２２が駆動して券片２０に孔２３をあけ、券片２０を搬送し、所定位置になると所定のピン２２が券片２０に孔２３をあけ、また搬送し、所定の孔２３をあけの動作を繰り返して、図８の場合は例えばＡの文字２８となるように配列した孔２３をあける。
【００２８】
図９は実施例４における券片の状態を示す図で（ａ）は廃券レベル１の場合、（ｂ）は廃券レベル２の場合、（ｃ）は廃券レベル３の場合を示している。
（ａ）は図８で示したパンチ部２７を使用して上記した方法でＬ１、（ｂ）は同様にＬ２、（ｃ）はＬ３の文字２８を、孔２３をあけることにより表示させたものである。
このような文字や記号は廃券レベルに応じて任意に設定することができる。
【００２９】
以上のように実施例４によれば、複数の廃券レベルのそれぞれに対応させた複数の孔で形成された文字又は記号により定められた標識を券片に形成するので、廃券レベルを目視にて容易に確認することができ、券片の廃券方法の仕分けにおいて判断の間違いを防止することができる。
また、標識が孔による文字や記号であるため、廃券レベルを直感的に確認することができる。
さらに、孔の配列パターンの組み合わせは飛躍的に増えるため、実施例３よりも廃券処理方法を細分化できる利点もある。
【実施例５】
【００３０】
図１０は本発明の実施例５におけるパンチ部の構成と券片を示す図で、券片がパンチ部を通過して孔があいた状態を示している。
実施例４では文字又は記号の形状に孔をあけるためパンチ部２７に複数本のピン２２を設けていたが、実施例５ではパンチ部２９には２本のピン２２−１，２２−２を設けている。２本のピン２２−１，２２−２は券片２０の中心点を対称の中心とする点対称の位置に孔２３があけられるように、搬送方向Ａと垂直な方向に上下に配置される。
【００３１】
パンチ部２９で券片２０に孔２３をあける際には、上側のピン２２−１で所定位置に所定数の上側の孔２３−１をあけ、次いで下側のピン２２−２で孔２３−１と点対称の位置に所定数の下側の孔２３−２をあける。
このように上側の孔２３−１と下側の孔２３−２をあけると、孔２３−１と孔２３−２は、券片２０を１８０°回転した時に同じ位置になり、表裏を引っくり返さなければ上下反転しても同じ位置になる。
【００３２】
廃券レベルと孔２３−１，孔２３−２の対応は、例えば廃券レベル１の場合、点対称の位置にある孔２３−１，孔２３−２を１個ずつで対応させ、廃券レベル３を図１０のように同様に３個ずつで対応させれば良い。
孔の位置で対応させる場合は、上側の孔２３−１と点対称の位置にある孔２３−２を１個ずつ又は２個ずつペアにして廃券レベル１〜３に対応させることもできる。また、孔の個数と位置を組み合わせることもできる。
【００３３】
以上のように実施例５によれば、複数の廃券レベルのそれぞれに対応させた、券片の中心点を対称の中心とする点対称の位置にあけた孔の個数及び又は位置により定められた標識を形成するので、廃券レベルを目視にて容易に確認することができ、券片の廃券方法の仕分けにおいて判断の間違いを防止することができる。
また、実施例２，３は廃券レベルを確認する際に券片の上下方向を意識する必要があったが、実施例４では券片の同一面で見た場合には、券片の上下方向を意識して確認しなくても同じ廃券レベルの券片は上下方向には全く同じ位置に孔があいているため、後処理において上下方向に関しては券片の向きを揃える必要がないという利点がある。
【実施例６】
【００３４】
図１１は本発明の実施例６における券片の状態を示す図で、（ａ）は廃券レベルを示す標識に加えて、さらに文字印字を付加した例、（ｂ）は廃券レベルを示す標識に加えて、さらに線印字を付加した例を表示している。
廃券レベルを示す標識は実施例１〜５に示したものが適用できるが、（ａ），（ｂ）では実施例３で説明した券片２０にあけられた孔２３の個数及び位置により定められた標識を表している。
【００３５】
文字印字３０はＶＯＩＤ  ＬＥＶＥＬ１を表示しているが、英数に限定されることなく、漢字、仮名文字など印刷できる文字なら何でも良い。
線印字３１は実線の直線を示しているが、曲線、破線などでも良く、特に制限はない。廃券レベルを表示するためには、廃券レベルに対応して色、長さ、本数、角度などの異なる線を使用すれば良い。
【００３６】
文字印字３０や線印字３１を印刷する場合は、図１の発券装置において、一時停止していた退避部１５から券片２０を搬送し、第１印字部８及び第２印字部１１で券片２０に文字印字３０や線印字３１の追加印字を行い、パンチ部９に搬送して廃券レベルに従って孔２３をあける。
【００３７】
以上のように実施例６によれば、複数の廃券レベルのそれぞれに対応させた孔の個数、位置により定められた標識を券片に形成するので、廃券レベルを目視にて容易に確認することができ、券片の廃券方法の仕分けにおいて判断の間違いを防止することができる。
また、廃券レベルの標識に加えて、さらに文字や線を印字することにより廃券レベル、廃券となった券片の日付や駅名、廃券後の取扱方法などの詳細情報を記録することができる。
【図面の簡単な説明】
【００３８】
【図１】本発明が適用される発券装置の構造図である。
【図２】発券装置の制御ブロック図である。
【図３】本発明の廃券処理方法を示すフローチャートである。
【図４】本発明の実施例１におけるパンチ部の構成と券片を示す図である。
【図５】本発明の実施例１における券片の状態を示す図である。
【図６】本発明の実施例２における券片の状態を示す図である。
【図７】本発明の実施例３における券片の状態を示す図である。
【図８】本発明の実施例４におけるパンチ部の構成と券片を示す図である。
【図９】実施例４における券片の状態を示す図である。
【図１０】本発明の実施例５におけるパンチ部の構成と券片を示す図である。
【図１１】本発明の実施例６における券片の状態を示す図である。
【図１２】従来の廃券処理した券片の状態を示す図である。
【符号の説明】
【００３９】
１                            発券装置
８                            第１印字部
９，２７，２９                パンチ部
１１                          第２印字部
１６                          制御部
１７                          メモリ
２０                          券片
２２                          ピン
２３                          孔
２４，２５，２６              位置
２８                          文字
３０                          文字印字
３１                          線印字
Ｓ１〜Ｓ１１                  ステップ
【図１】
2008033464.tif 000003
【図２】
2008033464.tif 000004
【図３】
2008033464.tif 000005
【図４】
2008033464.tif 000006
【図５】
2008033464.tif 000007
【図６】
2008033464.tif 000008
【図７】
2008033464.tif 000009
【図８】
2008033464.tif 000010
【図９】
2008033464.tif 000011
【図１０】
2008033464.tif 000012
【図１１】
2008033464.tif 000013
【図１２】
2008033464.tif 000014